(57)【要約】【課題】  簡単な構成で起動スイッチが不用意に草木等に接触して作動することがないようにした刈払機を提供する。【解決手段】  操作アーム１６のハンドル把持部１９に起動スイッチ３０を設けた刈払機１０において、ハンドル把持部１９は、起動スイッチ３０を構成するレバー３１が作動する略平面上でレバー３１の周りの全周を囲む構成とした。【選択図】図２
2011067097.tif 000002
【特許請求の範囲】
【請求項１】
操作アームのハンドル把持部に起動スイッチを設けた刈払機において、該ハンドル把持部は、該起動スイッチを構成するレバーが作動する略平面上で該レバーの周りの全周を囲むことを特徴とする刈払機。
【請求項２】
該ハンドル把持部に過負荷停止回路による電流の停止を解除する解除ボタンを設けたことを特徴とする請求項１記載の刈払機。
【発明の詳細な説明】
【技術分野】
【０００１】
本発明は操作アームのハンドル把持部に起動スイッチを設けた刈払機において、起動スイッチが不用意に草木等に接触して作動することがないようにした刈払機に関するものである。
【背景技術】
【０００２】
従来から、芝や雑草等の草葉を刈るのに用いられる装置として刈払機が知られている。図３は特許文献１に開示の電動刈払機であり、ハンドル（操作アーム）２２０の両端には右手グリップ部３００、左手グリップ部２６０が設けられ、右手グリップ部３００には起動スイッチ３８０、右手把持スイッチ３２０が、左手グリップ部２６０には左手把持スイッチ２８０が設けられている。この電動刈払機を使って草葉を刈る作業者はハンガー２００に装着された図示されていないベルトを肩にかけ、両手で左右のグリップ部２６０，３００を握って草刈り作業を行うのである。
【先行技術文献】
【特許文献】
【０００３】
【特許文献１】特開２００８−２７１８３０号公報
【発明の概要】
【発明が解決しようとする課題】
【０００４】
しかし、上記の構成では、起動スイッチ３８０を保護するものがないので、不用意な操作により草木等に触れて起動スイッチ３８０が作動するという不測の事態が生じる可能性がある。上記従来技術ではそのような不測の事態を回避するために左手把持スイッチ２８０および右手把持スイッチ３２０が設けられおり、これらすべてのスイッチがオンしないとモーターが駆動されないようになっている。しかし、このように多くのスイッチを設けることは、コスト面、操作面、メンテナンス面において望ましくなかった。
【０００５】
本発明は、上記の問題を解決するものであり、簡単な構成で起動スイッチが不用意に草木等に接触して作動することがないようにした刈払機を提供するものである。
【課題を解決するための手段】
【０００６】
上記の目的を達成するために、操作アームのハンドル把持部に起動スイッチを設けた刈払機において、ハンドル把持部は、起動スイッチを構成するレバーが作動する略平面上でレバーの周りの全周を囲む構成とした。
【発明の効果】
【０００７】
本発明によれば、上記の構成としたので、起動スイッチが不用意に草木等に接触して作動するということのない刈払機を提供することが可能となる。
【図面の簡単な説明】
【０００８】
【図１】本発明にかかる刈払機の全体構成を説明するための外観上面図である。
【図２】ハンドル把持部の断面図である。
【図３】従来の電動刈払機の斜視図である。
【発明を実施するための形態】
【０００９】
以下、本発明を実施するための好適な実施形態について、図面に基づいて説明する。
【実施例１】
【００１０】
以下の説明では、説明の便宜のために刈払機１０の使用状態に応じた方向を定義することとする。すなわち、図１にて図示するように、刈刃１３が設置される側を「前」、ハウジング２０側を「後」、図１における紙面下側を「左」、図１における紙面上側を「右」と呼ぶこととする。
【００１１】
本実施形態に係る刈払機１０は、長手方向に延びる軸体形状にて形成される操作棹１１と、操作棹１１の一端側である前側に設置される刈刃１３と、操作棹１１の他端側である後側に設置されるとともに、内部に駆動源としての図示しないモータを備えるハウジング２０と、操作棹１１の長手方向の中間部に設置される操作アーム１６とを備えている。
【００１２】
操作棹１１は、中空棒状のパイプ部材により構成されており、その内部には、図示しない従動軸が回転自在な状態にて内蔵されている。操作棹１１の前側先端にはホルダ１４が取り付けられており、このホルダ１４には外周面に複数の鋸刃状の刃部が形成された円板状をした金属製の刈刃１３が回転自在に取り付けられている。この刈刃１３は、従動軸の前側先端に対してホルダ１４内に設置された図示しない傘歯車対を介して連結されており、従動軸の回転運動に応じて回転し、草葉等の刈払いを実施できるようになっている。また、刈刃１３の後方直近部には、刈刃１３の一部を覆うように防護カバー１５が設けられており、刈払い時に発生する飛散物の後方への飛散を防ぐことで、作業者の安全が確保されている。なお、刈刃１３については、図示する円板状をした金属製のものに代えて、セラミックス製のものや、回転中心から放射状に延びる複数本の紐からなるものなど、あらゆる形式の刈刃を採用することが可能となっている。
【００１３】
操作棹１１の長手方向の中間部には、左右一対のハンドル把持部１８，１９を備える操作アーム１６が取り付けられている。ハンドル把持部１９には後で説明するが起動スイッチ３０や過負荷停止回路３３などが配置され、これらのスイッチや回路からの配線コード３５はハウジング２０内のモータを制御すべく配線されている。１７は図示しない肩掛けベルトを取付けることのできるホック部である。
【００１４】
図２はハンドル把持部１９の断面図であり、ハンドル把持部１９は横から見るとＤ字形をした形状である。ハンドル把持部１９は樹脂等で成形された半割り部材を重ね合わせ、通常金属で作られる操作アーム１６の先端に図示しないボルト等で取り付けられている。ハンドル把持部１９は作業者が手で握るグリップ１９ａと不用意な草木等の接触から起動スイッチ３０を保護する保護部１９ｂで構成されており、実施例では同一部材で一体として構成しているが、別部材としてボルト等で組み立てるようにしてもよい。起動スイッチ３０は本例ではレバー３１とマイクロスイッチ３２で構成されている。作業者がレバー３１を握ったり離したりすることによりマイクロスイッチ３２をオンオフすることが可能であり、マイクロスイッチ３２のオンオフによりモータへの電流がオンオフされるように配線されている。グリップ１９ａと保護部１９ｂで構成されたＤ字形の中央の孔の中に起動スイッチ３０を構成するレバー３１が臨んで設けられており、レバー３１の周りはレバー３１が作動する略平面上でグリップ１９ａと保護部１９ｂで全周が囲まれている。レバー３１は軸３１ｂを中心にして回動可能であり、スプリング３１ｃにより付勢されて通常は実線で示した位置、すなわち、Ｄ字形の中央の孔の中に出っ張った位置にある。作業者がグリップ１９ａを握り締めながらレバー３１を操作すると、レバー３１の位置は二点鎖線で示した位置に回動し、先端３１ａがマイクロスイッチ３２のアクチュエータを押すことによりマイクロスイッチ３２が作動するよう構成されている。３３はロックボタンであり、レバー３１を誤って作業者が操作してしまわないようにレバー３１の動きを規制しており、指で押し込むことにより規制を解除することができるようになっている。
【００１５】
草刈り作業中に刈刃１３が多くの草葉をかみ込んで回転できなくなるとモータに過負荷がかかる。３４は過負荷時に過剰な電流でモータが焼損しないように電流を遮断する過負荷停止回路であり、ここではサーキットプロテクターで構成している。過負荷停止回路３４には再び電流が流れるように停止状態を解除するための解除ボタン３４ａが付いている。
【００１６】
以上のように構成された刈払機１０で草刈り作業を行う場合には、作業者は、ホック部１７に取付けられた図示しない肩掛けベルトを肩に掛け回すとともに、操作アーム１６が備える左右一対のハンドル把持部１８，１９を両手で把持することにより、刈払機１０を自在に操ることが可能となる。
【００１７】
次にモータを起動して刈刃１３を回転させるのであるが、そのためには、作業者は右手の指でロックボタン３３を押し込み、右手でハンドル把持部１９のグリップ１９ａとレバー３１を同時に握ればよい。レバー３１は作業者の握力によってスプリング３１ｃの付勢力に抗して二点鎖線の位置に移動し、レバー３１の先端３１ａがマイクロスイッチ３２のアクチュエータを押すから、モータに電流が流れ刈刃１３が回転を始める。作業者が草刈り作業を中断したい場合は、右手の握りを緩めレバー３１を実線の位置まで戻せばよい。
【００１８】
草刈り作業中に刈刃１３が多くの草葉をかみ込んだ場合には過負荷停止回路３４が作動してモータへの電流が遮断され刈刃１３の回転が止まる。作業者は草葉のかみ込みを除去して再び草刈り作業を開始しようとする時、解除ボタン３４ａを押して過負荷停止回路３４の作動を解除してやればよい。従来はモータの近傍に解除ボタンが位置していたので操作性が悪かったが、本発明の解除ボタン３４ａはハンドル把持部１９に装着されているので操作性がよい。
【００１９】
本発明による刈払機は、上述した実施の形態に限定されず、特許請求の範囲に記載した範囲で種々の変形や改良が可能である。例えば、本実施の形態では、駆動源としてモータを利用した刈払機で説明したが、エンジンを利用した刈払機でもよい。
【産業上の利用可能性】
【００２０】
この発明は、刈払機について有用である。
【符号の説明】
【００２１】
１０  刈払機、１１  操作棹、１３  刈刃、１６  操作アーム、１８，１９  ハンドル把持部、１９ａ  グリップ、１９ｂ  保護部、２０  ハウジング、２３  電源コード、３０  起動スイッチ、３１  レバー、３４  過負荷停止回路、３４ａ  解除ボタン、  ３５  配線コード
【図１】
2011067097.tif 000003
【図２】
2011067097.tif 000004
【図３】
2011067097.tif 000005